(57)【要約】【課題】フレーム材から表面板が剥離することにより不具合が生じることを防止できる壁構造を提供する。【解決手段】壁パネル１が有するフレーム材３の一部及びこのフレーム材３の前面に貼り付けられた表面板４の一部を切除して壁開口部７が形成される。フレーム材３の切断端部３０１及びこの前方に配置された表面板４の切断端部４０が挟み具８で挟まれたことを特徴とする。【選択図】図１
2012112150.tif 000002
【特許請求の範囲】
【請求項１】
壁パネルが有するフレーム材の一部及びこのフレーム材の前面に貼り付けられた表面板の一部を切除して壁開口部が形成され、前記フレーム材の切断端部及びこの前方に配置された前記表面板の切断端部が挟み具で挟まれたことを特徴とする壁構造。
【請求項２】
前記壁開口部は、隣接する二枚の壁パネルの各壁パネルが有する表面板の一部及び前記表面板の隣接する他方の壁パネル側の端縁に沿って配置されたフレーム材の一部を切除することで、前記隣接する二枚の壁パネルに亘って形成され、前記挟み具により、前記各壁パネルのフレーム材の切断端部及びこれらの前方に配置された前記各壁パネルの表面板の切断端部が挟まれたことを特徴とする請求項１に記載の壁構造。
【請求項３】
前記各壁パネルの隣接する他方の壁パネル側の端縁に沿って配置されたフレーム材同士が隣接して配置され、これら両フレーム材に前記挟み具が固定されたことを特徴とする請求項２に記載の壁構造。
【発明の詳細な説明】
【技術分野】
【０００１】
本発明は壁パネルで構成される壁に壁開口部が形成された壁構造に関する。
【背景技術】
【０００２】
従来、浴室の壁パネルで構成される壁に埋込型の棚を設けるにあたって、棚を嵌め込むための壁開口部を壁パネルに形成した壁構造が知られている（例えば特許文献１）。
【０００３】
ところで、壁パネルには、フレーム材を枠組みしてなる補強用のパネル枠の前面に表面板を貼付けたものがある。このような壁パネルによって構成された壁に前記壁開口部を形成するには表面板の一部を切除すればよいが、この切除部分の背面側にフレーム材が存在する場合にはこのフレーム材も表面板と共に切除する必要がある。
【０００４】
しかし、このように表面板と共にフレーム材を切除した場合、切除時において壁開口部の縁部に大きな応力が加わる。このため、例えば前記棚を交換するにあたって壁開口部から既設の棚を取り外した際には、接着剤の経年劣化等もあいまって、図７のように表面板のフレーム材前方に位置する部分がフレーム材から剥離する恐れがある。なお、図７中符号３,４,７は、夫々、フレーム材、表面板、壁開口部である。このような表面板４の剥離が生じると棚の取付けに支障をきたし、また、壁パネルの構造上の強度も低下する。また棚を新設する場合でも、前記切除時の応力により表面板４がフレーム材３から剥離することが考えられる。
【先行技術文献】
【特許文献】
【０００５】
【特許文献１】特開２０１０−１０４４４１号公報
【発明の概要】
【発明が解決しようとする課題】
【０００６】
本発明は前記事情に鑑みてなされたものであって、フレーム材から表面板が剥離することにより不具合が生じることを防止できる壁構造を提供する。
【課題を解決するための手段】
【０００７】
前記課題を解決するために本発明の壁構造は、壁パネルが有するフレーム材の一部及びこのフレーム材の前面に貼り付けられた表面板の一部を切除して壁開口部が形成され、前記フレーム材の切断端部及びこの前方に配置された前記表面板の切断端部が挟み具で挟まれたことを特徴とする。
【０００８】
また、前記壁開口部は、隣接する二枚の壁パネルの各壁パネルが有する表面板の一部及び前記表面板の隣接する他方の壁パネル側の端縁に沿って配置されたフレーム材の一部を切除することで、前記隣接する二枚の壁パネルに亘って形成され、前記挟み具により、前記各壁パネルのフレーム材の切断端部及びこれらの前方に配置された前記各壁パネルの表面板の切断端部が挟まれることが好ましい。
【０００９】
また、前記各壁パネルの隣接する他方の壁パネル側の端縁に沿って配置されたフレーム材同士が隣接して配置され、これら両フレーム材に前記挟み具が固定されることが好ましい。
【発明の効果】
【００１０】
本発明にあっては、フレーム材から表面板が剥離することにより、不具合が生じることを防止できる。
【図面の簡単な説明】
【００１１】
【図１】本実施形態の壁開口部近傍の壁の側断面図である。
【図２】壁構造を示す正面図である。
【図３】壁開口部に棚を設置する様子を側断面で示した説明図である。
【図４】図１のＡ−Ａ断面図である。
【図５】被取付部材を示し、（ａ）は側面図、（ｂ）は正面図、（ｃ）は底面図である。
【図６】スペーサーを示し、（ａ）は背面図、（ｂ）は側面図である。
【図７】フレーム材から表面板が剥離した状態を示す斜視図である。
【発明を実施するための形態】
【００１２】
以下、本発明を添付図面に基づいて説明する。本実施形態の壁構造は浴室の壁に適用したものであって、図２に示されるように壁に形成された壁開口部７に既設の棚に代えて新設の棚９が設けられたものである。
【００１３】
前記浴室を形成する浴室ユニットは壁を構成する壁パネル１を二枚備え、これら二枚の壁パネル１は図２に示すように左右に並べられた状態で、床パン（不図示）上に建て込まれている。そして、これら二枚の壁パネル１によって、浴槽及び洗い場の両者に隣接する浴室の一壁面が構成されている。
【００１４】
なお、図２中左側の壁パネル１は浴槽側に配置され、図中右側の壁パネル１は洗い場側に配置されている。以下、特に区別する場合には、前記隣接する両壁パネル１のうち、浴槽側に配置される壁パネル１を浴槽側壁パネル１と記載し、洗い場側に配置される壁パネル１を洗い場側壁パネル１と記載する。
【００１５】
両壁パネル１は洗い場側壁パネル１が浴槽側壁パネル１よりも左右幅が小さい点が異なるが、その他の構成は同じである。なお、本実施形態では両壁パネル１の左右幅が異なるが、両壁パネル１の左右幅は同一であってもよいものとする。
【００１６】
各壁パネル１はパネル枠２の前面全域に接着剤を用いて上下に長い矩形状の表面板４を貼り付けたものであり、表面板４の背面におけるパネル枠２で囲まれた領域には石膏ボード１０（図４参照）が貼り付けられている。
【００１７】
図２に示されるように、パネル枠２は中空棒状のフレーム材３を枠組みして形成されている。パネル枠２は、フレーム材３として、表面板４の上下左右の端縁に沿って配置されて矩形枠状に連結される外フレーム３０と、左右の外フレーム３０の間に架け渡して設けられる二本の内フレーム３１を備えている。なお、両壁パネル１の二本の内フレーム３１は同レベルに位置している。
【００１８】
各フレーム材３はリップ付き溝型鋼からなり、図４に示すように後方に開口した断面略Ｃ字に形成されている。なお、フレーム材３の断面形状はこれに限定されるものではなく、矩形枠状等であってもよい。
【００１９】
図２に示されるように、前記二枚の壁パネル１で構成される壁の下部には、正面視横長矩形状で壁の厚み方向に貫通する壁開口部７が形成されている。この壁開口部７には壁埋込型の棚９（ニッチ）が前方から嵌め込まれ、この棚９は両壁パネル１に取り付けられている。
【００２０】
壁開口部７は各壁パネル１の表面板４の一部及び同部後方に配置されたフレーム材３の一部を切除することで二枚の壁パネル１に亘って形成されている。
【００２１】
具体的に壁開口部７は、浴槽側壁パネル１の左側の外フレーム３０と、洗い場側壁パネル１の右側の外フレーム３０と、両壁パネル１の上下の内フレーム３１で囲まれた領域に形成されている。従って、壁開口部７の形成にあたっては、浴槽側壁パネル１の右側の外フレーム３０及び洗い場側壁パネル１の左側の外フレーム３０が切除される。以下、これら切除される外フレーム３０を切除フレーム３０と記載する。
【００２２】
前記二本の切除フレーム３０は図４に示すように左右に隣接して配置されている。図２に示されるように、各切除フレーム３０の切除部３００は上の内フレーム３１よりも下方で且つ下の内フレーム３１よりも上方に位置している。以下、各切除フレーム３０における切除部３００の下方部の上端部及び切除部３００の上方部の下端部を夫々切断端部３０１，切断端部３０２と記載する。
【００２３】
そして、両切除フレーム３０の下側の切断端部３０１と、これら切断端部３０１の前方に配置される各壁パネル１の表面板４の切断端部４０により、後述する挟み具８が取り付けられる下側の取付部６が構成されている。同様に、両切除フレーム３０の上側の切断端部３０２と、これら切断端部３０２の前方に配置される各壁パネル１の表面板４の切断端部４１により、別の挟み具８が取り付けられる上側の取付部６が構成されている。
【００２４】
前記上下の取付部６には図１のように挟み具８が夫々取り付けられ、各挟み具８により対応する取付部６をなす表面板４及び切除フレーム３０の夫々の部位が前後方向に挟まれている。
【００２５】
両挟み具８の構成は同じである。挟み具８は下の取付部６には図１のように取り付けられ、上の取付部６には前記下の取付部６に取り付けられた挟み具８を上下に反転させた状態で取り付けられる。なお、以下の挟み具８の構成については、図１のように挟み具８を下の取付部６に取り付けた際の方向を基準とし、取付部６側を下方、壁開口部７側を上方として説明する。
【００２６】
挟み具８は被取付部材８０とスペーサー８１で構成され、両者は金属板を折り曲げ加工して形成されている。
【００２７】
被取付部材８０は、図５に示されるように後板部８００と、後板部８００の両側端部から前方に突出した固着板部８０１と、後板部８００の上端部から前方に突出した当接板部８０２と、当接板部８０２の前端部から下方に突出した引掛板部８０３で構成されている。
【００２８】
両固着板部８０１は引掛板部８０３よりも下方に位置し、各固着板部８０１にはねじ挿通用の孔８０４が形成されている。両固着板部８０１と後板部８００により、前方に開口する第一被嵌部８０５が形成されている。
【００２９】
後板部８００の上端部は下方部よりも左右幅が大きく、当接板部８０２は後板部８００の上縁全長に亘り、引掛板部８０３は当接板部８０２の前縁全長に亘っている。これら後板部８００の上端部、当接板部８０２、及び引掛板部８０３により、第一被嵌部８０５よりも左右幅が大きい下方に開口する第二被嵌部８０６が形成されている。
【００３０】
スペーサー８１は、図６に示されるように被挿入板部８１０と、被挿入板部８１０の下端部から後方に突出する操作片部８１１とで構成され、その左右幅は被取付部材８０の両固着板部８０１間の距離よりも小さい。
【００３１】
図１のように挟み具８を取付部６に取り付けるには例えば以下のように行われる。
【００３２】
まず、被取付部材８０の第一被嵌部８０５を取付部６の後部に被せると共に、第二被嵌部８０６を取付部６の壁開口部７側の端部に被せる。
【００３３】
次に、取付部６の背面を構成する両切除フレーム３０の背面とこれに対向する後板部８００の間にスペーサー８１の被挿入板部８１０を挿入する。この挿入は操作片部８１１をハンマーで打ち込む等して行われる。なお、図６（ａ）のように被挿入板部８１０の上端部は上側程左右幅が狭くなっており、これにより被挿入板部８１０は両切除フレーム３０と後板部８００の間に容易に挿入できるようになっている。
【００３４】
上記により、被取付部材８０の引掛板部８０３を取付部６の前面をなす両表面板４の前面に当接させ、当接板部８０２を取付部６の壁開口部７側の端面をなす両表面板４の切断端面及び両切除フレーム３０の切断端面に当接させる。また、両固着板部８０１を取付部６の後部両側面をなす両切除フレーム３０の側面に当接させる。さらに、後板部８００をスペーサー８１の被挿入板部８１０を介して取付部６の背面をなす両切除フレーム３０の背面に当接させる。
【００３５】
そして、この状態で、被取付部材８０の各固着板部８０１の孔８０４にねじ５を通し、各ねじ５を対応する切除フレーム３０に固着することにより、被取付部材８０は両切除フレーム３０に取り付けられる。また、これにより被取付部材８０の後板部８００と両切除フレーム３０の間にスペーサー８１の被挿入板部８１０が挟まれて固定され、スペーサー８１の被挿入板部８１０が両切除フレーム３０と後板部８００の間から抜け出ることが防止される。
【００３６】
このように挟み具８を取付部６に取り付けることで、各切除フレーム３０の切断端部４０,４１及びこの前方に配置された各表面板４の切断端部４０,４１が被取付部材８０の引掛板部８０３と後板部８００の間にスペーサー８１の被挿入板部８１０を介して挟まれる。
【００３７】
図２に示すように前記挟み具８が取り付けられた壁開口部７には既設の棚に代えて新設の棚９が前方から嵌め込まれている。棚９は、正面視横長矩形状で前方に開口する箱状体９０の内側に棚板部９１を形成したものであり、箱状体９０の浴槽側部分には浴槽に湯水を供給するための図示しない混合水栓が取り付けられる混合栓取付部９５が設けられている。また、箱状体９０の前開口の周縁部には外方に突出する鍔部９３が周方向の全長に亘って形成されている。
【００３８】
棚９を両壁パネル１に取り付けるには、図３に示すように箱状体９０を壁開口部７に嵌め込む。そして、鍔部９３の周方向の略全長に亘る背面を壁開口部７の周縁部に沿わせた状態で、下側の鍔部９３に前方から通した複数のねじ９４を対応する壁パネル１の表面板４にねじ込む。なお、図３では挟み具８の図示を省略している。
【００３９】
また、図２のように棚９の箱状体９０の奥部前面には鏡９２が取り付けられている。
【００４０】
以上説明した本実施形態の壁構造では、壁パネル１が有する切除フレーム３０の一部及び切除フレーム３０の前面に貼り付けられた表面板４の一部を切除して壁開口部７が形成されている。そして、切除フレーム３０の切断端部３０１,３０２及びこの前方に配置された表面板４の切断端部４０,４１が挟み具８で挟まれている。このため、図７のように切除フレーム３０の切断端部４０,４１から前方の表面板４が剥離した場合に、挟み具８により切除フレーム３０の切断端部４０,４１の前面に表面板４を密着した状態とすることができる。このため、前記表面板４の剥離により、棚９を取り付ける場合に支障をきたすことがなく、また、壁パネル１の構造上の強度低下も防止できる。
【００４１】
また、壁開口部７が、隣接する二枚の壁パネル１の各壁パネル１が有する表面板４の一部及び表面板４の隣接する他方の壁パネル１側の端縁に沿って配置された切除フレーム３０の一部を切除することで、隣接する二枚の壁パネル１に亘って形成されている。そして、挟み具８により、各壁パネル１の切除フレーム３０の切断端部３０１,３０２及びこれらの前方に配置された各壁パネル１の表面板４の切断端部４０,４１が挟まれている。このようにすると、壁開口部７を二枚の壁パネル１に亘って形成することができて、壁開口部７に取付けられる棚９の大きさや位置の自由度が増す。また、このように二枚の壁パネル１に亘って壁開口部７を形成したものにおいて、前記表面板４の剥離によって不具合が生じることを防止できる。
【００４２】
また、本実施形態では、各壁パネル１の隣接する他方の壁パネル１側の端縁に沿って配置された切除フレーム材３０同士が隣接して配置され、両切除フレーム材３０に挟み具８が固定されている。この場合、挟み具８を強固に取り付けることができる。
【００４３】
なお、本実施形態では、壁開口部に棚９を嵌め込んで取り付けたが、壁開口部に嵌め込んで取り付けられる取付物としてはこれに限定されるものではなく、埋込型のキャビネット等であってもよい。また、壁開口部７を二枚の壁パネル１に亘って形成したが、壁開口部７は一枚の壁パネル１にのみ形成されるものであってもよい。
【符号の説明】
【００４４】
１  壁パネル
３  フレーム材
４  表面板
７  壁開口部
【図１】
2012112150.tif 000003
【図２】
2012112150.tif 000004
【図３】
2012112150.tif 000005
【図４】
2012112150.tif 000006
【図５】
2012112150.tif 000007
【図６】
2012112150.tif 000008
【図７】
2012112150.tif 000009